(57)【特許請求の範囲】
【請求項１】
団扇としての使用態様と、頭部装着具としての使用態様とに使い分け可能なものであって、
前記団扇としての使用態様では風を起こす扇部として機能する一方、前記頭部装着具としての使用態様では使用者の頭部に装着される頭部装着部として機能する本体と、
前記本体に対して着脱可能であり、前記団扇としての使用態様では前記本体に取り付けられて把手として機能する一方、前記頭部装着具としての使用態様では前記本体から取り外されて該本体を前記頭部に保持する保持部として機能する支持体と、
前記本体と前記支持体との間に設けられ、前記いずれの使用態様においても該本体と該支持体とを繋いでいる連結部と、
を具備していることを特徴とする頭部装着具兼用団扇。
【請求項２】
前記連結部は、伸縮可能な紐であることを特徴とする請求項１記載の頭部装着具兼用団扇。
【請求項３】
互いに係合又は係合解除可能な係合部及び被係合部を備えた係合機構を具備し、
前記係合部及び被係合部のうちいずれか一方を前記本体に設け、他方を前記支持体に設けている請求項１又は２記載の頭部装着具兼用団扇。
【請求項４】
前記団扇及び前記頭部装着具として使用しない不使用態様に、さらに使い分け可能なものであって、
前記不使用態様において、前記支持体は、前記本体側に入り込んで仕舞い込まれた状態で、前記係合機構により該本体に保持されるようにしている請求項３記載の頭部装着具兼用団扇。
【請求項５】
前記支持体は、平面視略細長形状を有するとともに、長手方向に伸びるスリット孔部を備えるものであって、
２本の連結部の各々の一端側を、前記本体の両側部に各々取り付ける一方、各々の他端側を、前記スリット孔部内に移動可能に取り付けている請求項１乃至４いずれか記載の頭部装着具兼用団扇。
【請求項６】
前記本体は、係合突起を備える一方、
前記支持体は、前記スリット孔部の両端にそれぞれ連続して設けられ且つ前記係合突起を挿通可能な第１の孔部及び係合保持可能な第２の孔部を有するダルマ孔部を備えるものであって、
前記２本の連結部の各々の他端側が、前記ダルマ孔部内をさらに移動可能としている請求項５記載の頭部装着具兼用団扇。
【請求項７】
前記頭部装着具がお面である場合に、
前記頭部装着部としての本体は、お面の面板部である請求項１乃至６いずれか記載の頭部装着具兼用団扇。
【請求項８】
前記頭部装着具が帽子である場合に、
前記頭部装着部としての本体は、帽子のクラウンである請求項１乃至６いずれか記載の頭部装着具兼用団扇。
【発明の詳細な説明】
【技術分野】
【０００１】
本発明は、団扇又は頭部装着具として使用できる頭部装着具兼用団扇に関するものである。
【背景技術】
【０００２】
従来、団扇として使用したり、お面として使用したりすることのできるお面兼用団扇が知られている。具体的にこの種のお面兼用団扇は、例えば、扇面に目の孔を開けるとともに、扇面の両側部に紐孔を設け、その紐孔に紐が取り付けられている（特許文献１参照）。
【０００３】
また、団扇として使用したり、帽子バイザーとして使用したりすることのできる帽子兼用団扇であるファン内帽子が知られている。具体的にこのファン内帽子は、扇であるファン頭部と、このファン頭部に取り付けた上下に湾曲して延びるハンドルとを具備し、団扇として使用する場合には、ハンドルをファン用グリップとして使用する一方、帽子バイザーとして使用する場合には、ハンドルを連結部分から解除してループを成すように展開させて頭に被る際のフレームとして使用するように構成されている（特許文献２参照）。
【０００４】
また、団扇の扇部分が帽子、把手部分がひさしとなって、団扇と帽子とを兼用できるようにした帽子兼用団扇が知られている（特許文献３参照）。
【特許文献１】特開２００２−４５２２４号公報
【特許文献２】特表２００７−５２７５７８号公報
【特許文献３】特開平７−７９８２０号公報
【発明の開示】
【発明が解決しようとする課題】
【０００５】
しかしながら、従来の構成、特に特許文献１の構成では、お面として使用する場合には、把手が扇面の上に突出した状態となって危ないばかりでなく、紐だけで固定するため装着状態も不安定なものとなる。また、団扇として使用する場合には、垂れ下がった紐が扇ぐときに邪魔になる。
【０００６】
また、特に特許文献２の構成では、グリップが湾曲しているため、団扇として使用する場合には持ち難いため使い難い。そして、グリップを両側から支持板で挟みつつピン等で枢着するようにしているため、取付状態及び使用状態も不安定となる。そのため、団扇として扇ぐ場合には風を起こし難く、帽子として使用する場合には脱げ易いといった問題がある。
【０００７】
また、特に特許文献３の構成では、可動部分がどこにもないため、扇部分は頭に被ることができるようにひだのついた幕状になっており、把手部分はひさしとなるため先端の枝部分以外は幅広になっている。そのため、団扇として扇ぐ場合には風を起こし難く、帽子として使用する場合にはひさしの先端に不自然な枝が突出するといった問題がある。
【０００８】
本発明は、このような課題に着目してなされたものであって、主たる目的は、団扇としての使用及びお面や帽子等の頭部装着具としての使用のいずれの場合であっても、それぞれの機能を十分に発揮しながら無駄で邪魔になる部分がなく好適に使用可能な頭部装着具兼用団扇を提供することにある。
【課題を解決するための手段】
【０００９】
本発明は、かかる目的を達成するために、次のような手段を講じたものである。
【００１０】
すなわち、本発明に係る頭部装着具兼用団扇は、団扇としての使用態様と、頭部装着具としての使用態様とに使い分け可能なものであって、前記団扇としての使用態様では風を起こす扇部として機能する一方、前記頭部装着具としての使用態様では使用者の頭部に装着される頭部装着部として機能する本体と、前記本体に対して着脱可能であり、前記団扇としての使用態様では前記本体に取り付けられて把手として機能する一方、前記頭部装着具としての使用態様では前記本体から取り外されて該本体を前記頭部に保持する保持部として機能する支持体と、前記本体と前記支持体との間に設けられ、前記いずれの使用態様においても該本体と該支持体とを繋いでいる連結部と、を具備していることを特徴とする。
【００１１】
ここで、「頭部装着具」とは、例えばお面や帽子が挙げられる。
【００１２】
また、「頭部」とは、首より上の部分を指す。さらに、「頭部に装着する」とは、本体を、顔面に装着する場合と頭髪の生える部分に装着する場合とを含む。
【００１３】
このようなものによれば、団扇として使用する際には、把手としての支持体が扇部である本体に装着される一方、頭部装着具として使用する際には、保持部としての支持体を取り外すことで頭部装着部としての本体のみが残り、取り外した保持部としての支持体は頭部に装着する場合の適切なバックアップとなる。また、いずれの使用態様においても連結部が本体と支持体とを繋ぐようにしているため、例えば、この連結部を伸縮可能な紐とすれば、その伸縮作用によって、団扇としての使用態様では連結部が扇ぐ動作の邪魔にならずに済むようになり、頭部装着具としての使用態様では本体を頭部に好適に装着できるようになる。
【００１４】
すなわち、団扇として使用する際にも頭部装着具として使用する際にも無駄で邪魔になる部分が無く、いずれの使用態様においてもそれぞれの機能を発揮しながら好適に使用可能な頭部装着具兼用団扇を提供することができる。
【００１５】
簡単な構成で本体と支持体とを着脱可能にするには、互いに係合又は係合解除可能な係合部及び被係合部を備えた係合機構を具備し、前記係合部及び被係合部のうちいずれか一方を前記本体に設け、他方を前記支持体に設けていることが好ましい。
【００１６】
前記団扇及び前記頭部装着具として使用しない不使用態様に、さらに使い分け可能なものであって、前記不使用態様において、前記支持体は、前記本体側に入り込んで仕舞い込まれた状態で、前記係合機構により該本体に保持されるようにしているのであれば、例えば、持ち運び時に当該頭部装着具兼用団扇をコンパクトにできるなど、使い勝手がさらに向上する。
【００１７】
本発明の望ましい態様としては、前記支持体は、平面視略細長形状を有するとともに、長手方向に伸びるスリット孔部を備えるものであって、２本の連結部の各々の一端側を、前記本体の両側部に各々取り付ける一方、各々の他端側を、前記スリット孔部内に移動可能に取り付けているものが挙げられる。
【００１８】
前記本体は、係合突起を備える一方、前記支持体は、前記スリット孔部の両端にそれぞれ連続して設けられ且つ前記係合突起を挿通可能な第１の孔部及び係合保持可能な第２の孔部を有するダルマ孔部を備えるものであって、前記２本の連結部の各々の他端側が、前記ダルマ孔部内をさらに移動可能としているのであれば、本体と支持体とを係合突起及びダルマ孔部を利用して着脱可能にできる上、いずれの状態でも本体と支持体とを連絡部によって好適に繋ぎとめておくことができる。
【００１９】
ところで、前記頭部装着具がお面である場合には、前記頭部装着部としての本体は、お面の面板部であることが好ましく、また、該頭部装着具が帽子である場合には、帽子のクラウンであることが好ましい。
【発明の効果】
【００２０】
このように本発明によれば、団扇として使用する際にも頭部装着具として使用する際にも無駄で邪魔になる部分が無く、いずれの使用態様においてもそれぞれの機能を発揮しながら好適に使用可能な頭部装着具兼用団扇を提供することができる。
【発明を実施するための最良の形態】
【００２１】
以下、本発明の一実施形態を、図面を参照して説明する。
【００２２】
本実施形態の頭部装着具兼用団扇であるお面兼用団扇Ａは、団扇としての使用態様Ａｘ（図１、図２、図３参照）と、お面としての使用態様Ａｙ（図４参照）とに使い分け可能なものであって、本体１と、この本体１に対して着脱可能な支持体２と、これら本体１と支持体２との間に設けられ、本体１と支持体２とを繋いでいる対を成す連結部３と、を具備している。
【００２３】
以下、各部を具体的に説明する。
【００２４】
本体１は、図１、図２、図３に示すように、団扇としての使用態様Ａｘでは風を起こす扇部として機能する一方、図４に示すように、お面としての使用態様Ａｙ１では図示しない使用者の頭部に装着される面板部（本発明の「頭部装着部」に相当）として機能するものである。
【００２５】
本実施形態では、この本体１を、合成樹脂製で薄板状のものとしている。なお、本体１の材質は、合成樹脂製のものに限らず、例えば紙製とするなど、実施態様に応じて適宜変更可能である。
【００２６】
また、本体１の外形（輪郭）は、図示しないキャラクターの顔の輪郭線に沿った形状としている。そして、本体１の一方の面である表面１１ａには、キャラクターの顔（目や鼻等）を印刷により施している（図示せず）。なお、キャラクターの顔を表面１１ａに施す方法は、印刷によるものに限らず、例えばシールを利用するなど実施態様に応じて適宜変更可能である。
【００２７】
さらに、本体１の他方の面である裏面１１ｂの下端部（キャラクターの顎に相当する部分）には、係合突起１２を設けている。
【００２８】
係合突起１２は、図１、図３、図４、図５に示すように、平面視略円形状で薄板状の係合台座部１２１と、この係合台座部１２１の中央から略直角に起立する係合支柱部１２２と、この係合支柱部１２２の先端に連続して設けられ平面視略円形状で薄板状の係合先端部１２３とを備えるものであって、これら各部を合成樹脂により一体に形成している。ここで、係合支柱部１２２は、横断面が略矩形状であるとともに、その両側面に上下方向に伸びる突条１２２Ｔを有している。さらに、係合先端部１２３は、その直径を、図５に示す係合支柱部１２２の幅寸法１ｘより大きくしている。
【００２９】
またさらに、本体１の両側部（キャラクターの頬近傍に相当する部分）には、連結部３を固定するための留め具１３を設けている。
【００３０】
支持体２は、本体１に対して着脱可能であり、団扇としての使用態様Ａｘでは本体１に取り付けられて把手として機能する一方、お面としての使用態様Ａｙでは本体１から取り外されて本体１を頭部に保持する保持部として機能するものである。
【００３１】
より具体的に支持体２は、中央部２ａが平面視略細長形状で且つ側面視略部分円弧状を有するように湾曲し、両端部２ｂが中央部２ａの幅寸法よりも大きな直径の部分円板形状を有するものである。本実施形態ではこの支持体２を合成樹脂製のものとしている。そして、この支持体２には長手方向に伸びるとともに厚み方向に貫通するスリット孔部２１を備えている。また、このスリット孔部２１の両端にそれぞれ連続してダルマ孔部２２を設けている。ここで、ダルマ孔部２２は、スリット孔部２１に連続して設けられ係合突起１２を挿通可能な第１の孔部２２１と、この第１の孔部２２１のうちスリット孔部２１とは反対側に設けられ前記係合突起１２を係合保持する第２の孔部２２２と、を有している。さらに詳述すると、第１の孔部２２１は、平面視部分円弧状を有するものであって、その直径を、係合突起１２の係合先端部１２３の直径よりも若干小さく構成している。また、第２の孔部２２２は、平面視略矩形状を有するものであって、第１の孔部２２１の直径よりも小さな幅寸法を有している。さらにこの第２の孔部２２２の両側部には、該支持体２の厚み方向に沿って伸びる係合溝２２２Ｍがそれぞれ設けてある。そして、これら一方の係合溝２２２Ｍと他方の係合溝２２２Ｍとの溝奥同士の寸法２ｙと、係合支柱部１２２の一方の突条１２２Ｔと他方の突条１２２Ｔとの先端同士１ｙの寸法（図５参照）と、を略一致させている。またさらに各孔部同士が連続する部分を、部分円弧状にすることで、各孔部内を移動する係合突起１２の動きが滑らかになるようにしている。
【００３２】
またさらに、本実施形態では、支持体２の各端部２ｂにおいて、図２、図３に示すように、各ダルマ孔部２２から各端縁２ｂ１にかけてそれぞれ伸びる案内溝２３を設けている。具体的には、団扇としての使用態様Ａｘにおいて係合突起１２とダルマ孔部２２とを係合させた場合に、その係合に用いている第２の孔部２２２から端縁２ｂ１にかけて伸びる２本の案内溝２３が、各留め具１３に向かう方向へそれぞれ伸びるように、各案内溝２３を形成している。また、本実施形態では、案内溝２３の深さと、連結部３であるゴム紐の太さと、を略一致させている。これにより、係合突起１２とダルマ孔部２２とを係合させた場合に、連結部３が、係合突起１２の係合台座部１２１と支持体２の端部２ｂとの間に挟みこまれてしまうことを防止して、係合突起１２とダルマ孔部２２との係合を、確実にできるようにしている。
【００３３】
連結部３は、本体１と支持体２との間に設けられ、いずれの使用態様においても本体１と支持体２とを繋いでいるものである。
【００３４】
具体的に連結部３は、伸縮可能なゴム紐を、支持体２の孔（スリット孔部２１及びダルマ孔部２２）内を挿通させた上で、両端（本発明の「連結部３の一端）に相当）をそれぞれ留め具１３に固定することで、概略輪状を有するようにしたものである。
【００３５】
しかして、連結部３の支持体２の孔に挿通している部分（本発明の「連結部３の他端側」に相当）が、スリット孔部２１内及びダルマ孔部２２内を移動可能としつつ、いずれの態様においても、連結部３が本体１と支持体２とを繋いでいる状態を維持することができるにおける。
【００３６】
以下、お面兼用団扇Ａの使用方法について、説明する。
（１）団扇としての使用（団扇としての使用態様Ａｘ）
【００３７】
団扇として使用する際には、把手としての支持体２を、扇部である本体１に装着する。
【００３８】
具体的には、本体１の係合突起１２と支持体２のダルマ孔部２２とを係合する。より具体的には、係合突起１２を、支持体２のダルマ孔部２２の第１の孔部２２１に挿通させた後、該係合突起１２を第２の孔部２２２側へ移動する。すると、係合支柱部１２２の突条１２２Ｔと、第２の孔部２２２内の係合溝２２２Ｍとが一致する位置で、係合突起１２は第２の孔部２２２に係合保持される。ここで、第２の孔部２２２の一方の係合溝２２２Ｍと他方の係合溝２２２Ｍとの溝奥同士の寸法２ｙと、係合支柱部１２２の一方の突条１２２Ｔと他方の突条１２２Ｔとの先端同士の寸法１ｙと、を略一致させているため、係合突起１２をその位置で第２の孔部２２２に確実に係合保持することができ、結果、本体１と支持体２とを確実に取り付けた状態に保つことができる。このように本体１と支持体２とを確実に取り付けることができるため、団扇として使用する際に、本体１と支持体２とが、がたついたり外れてしまったりするといった不具合もなく、好適に扇ぐ動作をすることができる。
【００３９】
またここで、図１に示すように、連結部３の孔に通している部分を、第２の孔部２２２のうち第１の孔部２２１とは反対側に位置付けた状態とすれば、係合突起１２とダルマ孔部２２とを係合させ易く、また、図３に示すように、当該部分が係合の妨げとなることもない。
【００４０】
また、係合突起１２とダルマ孔部２２とを係合させた場合に、連結部３が、案内溝２３内に位置付けられながら、適度なテンションで張られるようにしているため、連結部３が、係合突起１２の係合台座部１２１と支持体２の端部２ｂとの間に挟みこまれてしまうことを防止することができ、その結果、係合突起１２とダルマ孔部２２との係合を確実にできる。
【００４１】
このように、団扇としての使用態様Ａｘにおいて、連結部３が扇ぐ動作の邪魔にならずに済み、すなわち無駄で邪魔になる部分が無く、しかも、本体１と支持体２とががたついたり外れてしまったりするといった不具合もなく、好適に扇ぐことができる。
（２）お面としての使用（お面としての使用態様Ａｙ）
【００４２】
お面として使用する際には、保持部としての支持体２を取り外すことでお面としての本体１のみが残り、取り外した保持部としての支持体２は顔面に装着する場合の適切なバックアップとなる。
【００４３】
具体的には、本体１の係合突起１２と支持体２のダルマ孔部２２とを係合解除する。より具体的には、第２の孔部２２２に係合されている係合突起１２を、第１の孔部２２１側に移動させる。すると、係合突起１２は第１の孔部２２１から外れ、本体１の係合突起１２と支持体２のダルマ孔部２２との係合が解除される。
【００４４】
このとき、２本の連結部３は、共に支持体２の孔（スリット孔部２１又はダルマ孔部２２）にそれぞれ挿通されており、一方の連結部３を一方のダルマ孔部２２内に位置づけ、他方の連結部３を他方のダルマ孔部２２内に位置付ける（図４参照）。
【００４５】
すると、面板部として本体１と、２本の連結部３と、支持体２との間に、頭部を入れることができるようになる。本実施形態では、これら本体１と２本の連結部３と支持体２とが成す略円周の長さを、頭囲より若干小さくしているため、ゴム紐である連結部３の伸縮効果及び支持体２のバックアップ効果を利用しながら好適な装着状態を実現できる。
（３）団扇としてもお面としても使用しない場合（不使用態様Ａｚ）
【００４６】
団扇としてもお面としても使用しない場合、すなわち、コンパクトにして仕舞ったり持ち運んだりする場合は、図６に示すように、支持体２を、本体１側に入り込む位置に位置付け、係合突起１２と第２の孔部２２２とを係合する。すると、支持体２は、本体１側に入り込んで仕舞い込まれた状態（Ａ０）で、係合機構である係合突起１２及び第２の孔部２２２によって該本体１に保持される。
【００４７】
したがって、このようなお面兼用団扇Ａによれば、団扇として使用する際にもお面として使用する際にも無駄で邪魔になる部分が無く、いずれの使用態様においてもそれぞれの機能を発揮しながら好適に使用可能なお面兼用団扇Ａを提供することができる。また、団扇としてもお面としても使用しない場合、すなわち、コンパクトにして仕舞ったり持ち運んだりすることができる。
【００４８】
なお、本発明は前記実施形態に限られるものではない。
【００４９】
例えば、本体１を、さらに頭髪の生える部分に装着しても良く、この場合、お面兼用団扇Ａ、兼、帽子兼用団扇として使用できることとなる。或いは、お面は、面板部を顔を被覆する位置に装着して使用するのが普通であるが、面板部を額のあたりに引っ掛けて使用するものも本発明のお面の概念に含まれる。
【００５０】
また、本実施形態では、連結部３を伸縮可能なゴム紐としているが、これに限られず伸縮可能なものであれば良い。また、連結部３を概略輪状にしているが、必ずしも輪状にする必要はない。
【００５１】
また、本体１の外形を、図示しないキャラクターの顔の輪郭線に沿った形状としているが、例えば、その全身の輪郭線に沿った形状とするなど、実施態様に応じて適宜変更可能である。また、本体１の外形を、キャラクターを模した形状としなくて良く、任意の形状にできることは言うまでもない。また、頭部装着具兼用団扇を帽子兼用団扇とする場合には、本体１の形状を図示しないクラウン形状とすることもできる。本体がクラウン形状である場合、本体から取り外されて当該本体を頭部に保持する支持体は、頭部の一部である顎などに当てがうように使用することもできる。
【００５２】
また、支持体２は、その中央部を湾曲させているが必ずしも湾曲させる必要ななく、また、その他の構成も本実施形態のものに限られるものではない。
【００５３】
また、頭部装着具兼用団扇が、不使用態様Ａｚをとる構成は、必ずしも必要ではない。
【００５４】
その他、各部の具体的構成についても上記実施形態に限られるものではなく、本発明の趣旨を逸脱しない範囲で種々変形が可能である。
【図面の簡単な説明】
【００５５】
【図１】本発明の一実施形態に係るお面兼用団扇（団扇としての使用態様）を裏側から見た全体斜視図。
【図２】同実施形態に係るお面兼用団扇（団扇としての使用態様）の正面図。
【図３】同背面図。
【図４】同実施形態におけるお面兼用団扇（お面としての使用態様）を裏側から見た全体斜視図。
【図５】同実施形態における要部拡大図。
【図６】同実施形態におけるお面兼用団扇（不使用態様）を裏側から見た全体斜視図。
【符号の説明】
【００５６】
Ａ・・・・・頭部装着具兼用団扇（お面兼用団扇）
Ａｘ・・・・団扇としての使用態様
Ａｙ・・・・頭部装着具（お面）としての使用態様
Ａｚ・・・・不使用態様
Ａ０・・・・支持体２が本体１側に入り込んで仕舞い込まれた状態
１・・・・・本体（団扇の扇部、お面の面板部（頭部装着部））
２・・・・・支持体（団扇の把手、お面の保持部）
３・・・・・連結部
１２・・・・被係合部（係合突起）
２１・・・・スリット孔部
２２・・・・ダルマ孔部
２２１・・・第１の孔部
２２２・・・係合部（第２の孔部）
【図１】
0005150210.tif 000002
【図２】
0005150210.tif 000003
【図３】
0005150210.tif 000004
【図４】
0005150210.tif 000005
【図５】
0005150210.tif 000006
【図６】
0005150210.tif 000007